(57)【要約】複数の符号を秘密に保つため、及びキーコードを導入することによりそれらを使用可能にするために格別に適したキーコードを用いて複数のコードを自動的に読み取るための装置（１０）であって、軸（１４）の回りで回転するように適応された複数のドラム（１２）及び特徴的な要素を保持するために適した可視面を備える複数のインサート（３４）を備える。該インサート（３４）は、文字列を形成するために前記ドラムのそれぞれの側面端縁に沿って可動に連結される。ドラム（１２）は複数のドラムのすべての特徴的な要素を整列させるために軸方向に並べて設置することができ、ロッド自体の一端に固定される第１の止め具（４０）を含むロッド（３８）の上に入れられる。第２の止め具（４２）は反対の端部に固定され、ロッドの上に係止される。
2005531018.tif 000002
【特許請求の範囲】
【請求項１】
キーコードを用いる複数のコードの自動読み取りのための装置（１０）であって、
特徴的な要素を保持するのに適した少なくとも１つの可視面を有する複数のインサート（３４）であって、あらゆるインサートの少なくとも１つの可視面に適用される該特徴的な要素が複数の文字列（ＡからＨ）を形成するように可動に結合される前記インサートと、
文字列の方向に関して基本的に横断方向である方向に従って複数の文字列の特徴的な要素を位置合わせするように平行モードで互いに沿って前記文字列を配置するための手段（３８、４０、４２、４４）であって、各文字列の第１の特徴的な要素がキーコードを形成し、各文字列の第２の特徴的な要素が覚えなければならないコードを形成する等、各文字列のＮ番目の特徴的な要素が覚えなければならないＮ番目のコードを形成する手段と、
少なくとも２つの文字列間の相対位置を、キーコードが形成されると横断方向で文字列上の他のコードを読み取ることができる最初の構成から、少なくとも１つの文字列の特徴的な要素が、他の文字列の特徴的な要素に比較してずれているように思われる位置に変化させる手段、
を備えることを特徴とする装置（１０）。
【請求項２】
軸（１４）の回りを回転するように設計された複数のドラム（１２）と、
特徴的な要素を保持する可視面を有する前記複数のインサート（３４）であって、前記ドラムのそれぞれの側部端縁に沿って可動で連結され、前記文字列を形成する前記インサートと、
を備え、
前記ドラム（１２）が複数のドラムの特徴的な要素を位置合わせするために軸（１４）方向で隣接して配置できることを特徴とする、請求項１に記載のキーコードを用いる複数のコードの自動読み取りのための装置（１０）。
【請求項３】
前記ドラム（１２）が、前記インサート（３４）の１つに形成されるシートに挿入するために設計される少なくとも１本の軸方向のピン（２０）を備えることを特徴とする請求項２に記載のキーコードを用いる複数のコードの自動読み取りのための装置（１０）。
【請求項４】
前記ドラム（１２）が、前記インサート（３４）の１つに形成されるシートに差し込まれるように適応される少なくとも１本の半径方向のピンを含むことを特徴とする請求項２に記載のキーコードを用いる複数のコードの自動読み取りのための装置（１０）。
【請求項５】
前記少なくとも１本の軸方向のピンまたは半径方向のピンが前記インサート（３４）が位置から滑り出ることを防ぐためにスナップ式係止手段を含むことを特徴とする請求項３または４に記載のキーコードを用いる複数のコードの自動読み取りのための装置（１０）。
【請求項６】
前記インサート（３４）の少なくとも１つが、側面のそれぞれが特徴的な要素をもつ四角錘であることを特徴とする請求項２から５の１つに記載のキーコードを用いる複数のコードの自動読み取りのための装置（１０）。
【請求項７】
前記インサート（３４）の少なくとも１つがその側壁が少なくとも１つの特徴的要素を持つ円筒形の要素であることを特徴とする請求項２から５の１つに記載のキーコードを用いる複数のコードの自動読み取りのための装置（１０）。
【請求項８】
前記インサート（３４）の少なくとも１つが、側面のそれぞれ１つが特徴的な要素をもつ三角柱であることを特徴とする請求項２から５の１つに記載のキーコードを用いる複数のコードの自動読み取りのための装置（１０）。
【請求項９】
前記ドラム（１２）が、三角柱インサート（３４）と交互になる四角柱インサート（３４）を備えることを特徴とする請求項６および８に記載のキーコードを用いる複数のコードの自動読み取りのための装置（１０）。
【請求項１０】
前記ドラムがインサート（３４）を受け入れるように適応される少なくとも１つの長穴（１８０）を備えることを特徴とする請求項２から９の１つに記載のキーコードを用いる複数のコードの自動読み取りのための装置（１０）。
【請求項１１】
前記長穴（１８０）の少なくとも１つが、前記軸（１４）に実質的に平行である方向でドラムの内側に広がることを特徴とする請求項１０に記載のキーコードを用いる複数のコードの自動読み取りのための装置（１０）。
【請求項１２】
前記インサート（３４）がそれぞれの長穴（１８０）の中へ差し込むために適した薄板またはプレート材料として製造されることを特徴とする請求項１０または１１に記載のキーコードを用いる複数のコードの自動読み取りのための装置（１０）。
【請求項１３】
前記ドラム（１２）の少なくとも１つが少なくとも１つの突出物（１６０）を含むことを特徴とする請求項２から１２に記載の１つのキーコードを用いる複数のコードの自動読み取りのための装置（１０）。
【請求項１４】
前記ドラム（１２）の少なくとも１つが複数の突出物（１６０）を含むことを特徴とする請求項１３に記載のキーコードを用いる複数のコードの自動読み取りのための装置（１０）。
【請求項１５】
各突出物（１６０）が、インサート（３４）を受け入れるように適応される少なくとも１つの長穴（１８０）を有することを特徴とする請求項１３または１４に記載の１つのキーコードを用いる複数のコードの自動読み取りのための装置（１０）。
【請求項１６】
各突出物（１６０）が２つの長穴を有し、それぞれの長穴がインサート（３４）を受け入れるために適していることを特徴とする請求項１３または１４に記載の１つのキーコードを用いる複数のコードの自動読み取りのための装置（１０）。
【請求項１７】
軸方向で隣接して配置される前記ドラム（１２）を受け入れるために適したロッド（３８）が設けられ、前記ドラムが前記ロッド（３８）を受け入れるためにスルーシートを所有することを特徴とする請求項２から１６に記載の１つのキーコードを用いる複数のコードの自動読み取りのための装置（１０）。
【請求項１８】
前記ロッド（３８）が、ロッド自体の一端に固定して取り付けられる第１の止め具（４０）を備えることを特徴とする請求項１７に記載のキーコードを用いる複数のコードの自動読み取りのための装置（１０）。
【請求項１９】
前記第１の止め具（４０）が、ドラム（１２）の放射状の拡張に等しい放射状の拡張を有することを特徴とする請求項１８に記載のキーコードを用いる複数のコードの自動読み取りのための装置（１０）。
【請求項２０】
前記ロッド（３８）が、前記第１の止め具（４０）からロッドの対向する端部の上に差し込むことができ、ロッド自体に固定するように適応される第２の止め具（４２）を備えることを特徴とする請求項１８または１９に記載のキーコードを用いる複数のコードの自動読み取りのための装置（１０）。
【請求項２１】
前記ドラム（１２）と前記第２の止め具（４２）がそれらの位置から滑り落ちることを防ぐために係止部材（４４）が設けられることを特徴とする請求項２０に記載のキーコードを用いる複数のコードの自動読み取りのための装置（１０）。
【請求項２２】
前記第２の止め具（４２）がロッド（３８）の一端（３８０）に取り付けられるように設計される可撓フィン（４２０）を備えることを特徴とする請求項２０に記載のキーコードを用いる複数のコードの自動読み取りのための装置（１０）。
【請求項２３】
所定の角度各ドラム（１２）を回転させるために、段階的回転手段（２２）が設けられることを特徴とする請求項２から２２に記載の１つのキーコードを用いる複数のコードの自動読み取りのための装置（１０）。
【請求項２４】
前記ドラム（１２）が、前記長手方向軸（１４）と中空の同軸の円筒形シート（２６）と、隣接するドラムの一部の上に形成される軸方向リブまたはブレード（３２）と連動するように適応された少なくとも１つの軸方向の溝を備える側壁（２４）とを備えることを特徴とする請求項２３に記載のキーコードを用いる複数のコードの自動読み取りのための装置（１０）。
【請求項２５】
前記ドラムが、長手方向軸（１４）と同軸であり、隣接するドラムの一部分に形成される軸方向リブまたはブレード（３２）と連動するように適応される少なくとも１つのぎざぎざの軸部分（２８）を備える側壁（２４）を含む、中空の円筒形シート（２６）を含むことを特徴とする請求項２３に記載のキーコードを用いる複数のコードの自動読み取りのための装置（１０）。
【請求項２６】
前記ドラム（１２）が前記長手方向軸（１４）と同軸であり、ロッド（３８）上の軸方向リブと連動するように適応される少なくとも１つの軸方向溝を備える側壁（３０）を含む中空の円筒形シート（２６）を含むことを特徴とする請求項２３に記載のキーコードを用いる複数のコードの自動読み取りのための装置（１０）。
【請求項２７】
前記段階的回転手段が、前記ドラムが取り付けられる特殊形状のシャフト（４６０）を備え、前記形状の車夫跡（４６０）が前記ドラム（１２）の少なくとも１つに形成されるスルーシート（２６）内の２つの溝（２４０）の間での挿入に適した少なくとも１本の歯（６００）を備えることを特徴とする請求項２３に記載のキーコードを用いる複数のコードの自動読み取りのための装置（１０）。
【請求項２８】
前記特殊形状のシャフト（４６０）が、前記軸（１４）の回りでのドラム（１２）の回転中に柔軟に移動可能である弾性的に適合した材料から製造されることを特徴とする請求項２７に記載のキーコードを用いる複数のコードの自動読み取りのための装置（１０）。
【請求項２９】
前記特殊形状のシャフト（４６０）が、完全な壁から構成される第１の部分（４６０ａ）と少なくとも２つの軸方向セクタ（５８０ａ、５８０ｂ）を形成する切り口（５６０）を有する第２の部分（４６０ｂ）とを備えることを特徴とする請求項２７または２８に記載のキーコードを用いる複数のコードの自動読み取りのための装置（１０）。
【請求項３０】
前記特殊形状のシャフト（４６０）が、完全な壁から構成される第１の部分（４６０ａ）と軸方向セクタ（５８０ａ、５８０ｂ）のシーケンスで一組を形成する切り口（５６０）を有する付きの第２の部分（４６０ｂ）を備えることを特徴とする請求項２７または２８に記載のキーコードを用いる複数のコードの自動読み取りのための装置（１０）。
【請求項３１】
前記軸方向セクタ（５８０ａ、５８０ｂ）の少なくとも１つが前記少なくとも１本の歯（６００）を備えることを特徴とする請求項２９または３０に記載のキーコードを用いる複数のコードの自動読み取りのための装置（１０）。
【請求項３２】
少なくとも第１の軸方向セクタ（５８０ａ）が第１の部分（４６０ａ）の拡張部分として本来半円筒の形状を有することを特徴とする請求項２９から３１の１つに記載のキーコードを用いる複数のコードの自動読み取りのための装置（１０）。
【請求項３３】
少なくとも第２の軸方向セクタ（５８０ｂ）が、前記第１の軸方向セクタ（５８０ａ）よりわずかに小さい半径の本来半円筒の形状を有することを特徴とする請求項３２に記載のキーコードを用いる複数のコードの自動読み取りのための装置（１０）。
【請求項３４】
前記少なくとも１つの第２の軸方向セクタ（５８０ｂ）が、前記少なくとも１つの第１の軸方向セクタ（５８０ａ）の半径方向寸法にさらに加えて伸張する前記少なくとも１本の歯（６００）を含むことを特徴とする請求項３３に記載のキーコードを用いる複数のコードの自動読み取りのための装置（１０）。
【請求項３５】
前記特殊形状のシャフト（４６０）が中空であり、前記軸（１４）に同軸であるシート（４８０）を有することを特徴とする請求項２７から３４の１つに記載のキーコードを用いる複数のコードの自動読み取りのための装置（１０）。
【請求項３６】
前記特殊形状の中空のシャフト（４６０）がロッド（３８）を収容するように適応されることを特徴とする請求項３５に記載のキーコードを用いる複数のコードの自動読み取りのための装置（１０）。
【請求項３７】
前記特殊形状のシャフト（４６０）が、特殊形状シャフト（４６０）のシート（４８０）内の決められた軸方向の位置に設けられ、ロッド（３８）を収容するように適応された半径方向の拡張部を有する穴（５２０）を備えるバッフルプレート（５００）を含むことを特徴とする請求項３６に記載のキーコードを用いる複数のコードの自動読み取りのための装置（１０）。
【請求項３８】
前記特殊形状のシャフト（４６０）が、軸方向に広がり、ロッド（３８）に取り付けられるフィン（３６０）を受け入れるために適している２つの長穴（５４０）を含むことを特徴とする請求項３６または３７に記載のキーコードを用いる複数のコードの自動読み取りのための装置（１０）。
【請求項３９】
ワッシャ（６４０）が２つの隣接するドラム（１２）の間に差し込むために設けられることを特徴とする請求項２から３８の１つに記載のキーコードを用いる複数のコードの自動読み取りのための装置（１０）。
【請求項４０】
前記インサート（３４）の少なくとも１つが事前に印刷された特徴的な要素をもつことを特徴とする前記請求項のいずれか１つに記載のキーコードを用いる複数のコードの自動読み取りのための装置（１０）。
【請求項４１】
前記インサート（３４）の少なくとも１つが前記特徴的な要素を書き込むまたは彫り込むために適した少なくとも１つの面を有することを特徴とする請求項１から４０のいずれか１つに記載のキーコードを用いる複数のコードの自動読み取りのための装置（１０）。
【請求項４２】
前記インサート（３４）の少なくとも１つが、回転軸（１４）に垂直な方向でそれぞれのドラムに取り付けられるテッセラを含むことを特徴とする請求項２から４１のいずれか１つに記載のキーコードを用いる複数のコードの自動読み取りのための装置（１０）。
【請求項４３】
前記少なくとも１つのインサート（３４）が、要素がそれらの位置から滑り落ちるのを防ぐために、スナップ式係止機構を介してそれぞれのドラムに固定されることを特徴とする請求項４２のキーコードを用いる複数のコードの自動読み取りのための装置（１０）。
【請求項４４】
前記インサート（３４）が互いに関して位置合わせされる、あるいはずらされるように適応されるディスプレイ上の部分の形で製造されることを特徴とする請求項１に記載のキーコードを用いる複数のコードの自動読み取りのための装置（１０）。
【請求項４５】
互いに隣接し、突出物または歯（１６０）を有する複数のドラム（１２）を含み、１つの装置（１０）の該突出物が隣接する装置の突出物とかみ合う、少なくとも２つの装置（１０ａ）が設けられることを特徴とする請求項２から４４のいずれか１つに記載のキーコードを用いる複数のコードの自動読み取りのための装置（１０）。
【請求項４６】
係止手段が、半径方向位置にそれらを維持するために装置（１０）の端部に動作可能なように関連つけられることを特徴とする請求項４５に記載のキーコードを用いる複数のコードの自動読み取りのための装置（１０）。
【発明の詳細な説明】
【技術分野】
【０００１】
本発明は、単一キーコードを用いる複数のコードの自動読み取りのための装置に関する。
【０００２】
さらに詳細には、本発明は、例えばキーリング、またはデスクアクセサリ、または内部で、携帯電話、自動銀行販売業者カード（ａｕｔｏｍａｔｉｃ  ｂａｎｋ  ｄｉｓｔｒｉｂｕｔｏｒ  ｃａｒｄｓ）、クレジットカード等のアクセスコードを入力できるなんらかの類似した品目の形を取る装置に関する。
【背景技術】
【０００３】
コンピュータ化されたシステム及び／または電子システムが当該のサービスへのアクセスのためにますます多くの英数字キーコード及び／またはワードキーコードを必要とすることは周知である。
【０００４】
この種のコードのいくつかの例は、テレフォンカード、自動銀行販売業者カード、またはクレジットカードのために使用されるコードである。これらは、コード及び金庫または貴重品保管金庫のための組み合わせ、インターネットサイトへまたは盗難警報装置へのアクセスコードも含む場合がある。
【０００５】
ユーザが、セキュリティの理由から、他者が容易に読み取ることができるどこかに書き込むことができない、いくつかの数の英数字コードを覚えなくてはならないのは明らかである。これらのすべての必須英数字コードを覚える際の困難は明らかであり、加えてこの問題は、セキュリティの理由からコードを定期的に変更する必要があるという事実によって大きくなる。
【０００６】
前述した事実は、コード自体を即時に可視にすることなくすべてのシークレットコードを記憶することができ、単一のキーコードを単に入力し、覚えるだけですべての必要なコードを使用可能にできる装置に対するニーズを示している。
【発明の開示】
【発明が解決しようとする課題】
【０００７】
本発明に関する基本的な問題は、単一キーコードを介した複数のコードの自動読み取りのための、その構造上及び機能上の特性が前記ニーズを満たすことができる装置を提供することである。
【課題を解決するための手段】
【０００８】
この問題は、請求項１に説明されるような単一キーコードを介した複数のコードの自動読み取りのための装置によって解決できる。
【０００９】
本発明による単一キーコードを介した複数のコードの自動読み取りのためのこの装置によって提供される追加の特性及び優位点は、添付図面を参照して、指示的であるが決して限定的ではない好適実施形態の例を含む以下の説明から容易に理解されるであろう。
【発明を実施するための最良の形態】
【００１０】
これらの図に関して、番号１０はキーコードを用いた複数のコードの自動読み取りのための装置を特定する。
【００１１】
図１に描かれている実施形態の例に従って、当該の装置は、例えばコンピュータモニタ上または事務所の机の上での応用のためにキーリングまたはアクセサリの形状及びサイズを推測することができ、長手方向軸１４の回りで回転するために適したドラム１２の集合を含むことがある。
【００１２】
図１に図示される例においては、軸１４に平行な方向で互いに沿って整列するように、８個のドラムが見越されている。
【００１３】
ドラム１２の実施形態の一例は図５から図９に描かれ、前記軸１４に関して少なくとも１つの同心リングを備える円板の形状をした平面１６を備える。軸１４に対応して、円板平面１６は基本的に円筒形のスルーシート１８を含む。
【００１４】
周縁部を形成する円板平面１６の外部リング部分の回りには、互いから均一の距離で分散されるピン２０の集合があり、回転軸１４に平行な方向に伸張する。これらのピンは軸方向ピンとしてさらに説明されるであろう。
【００１５】
図５または図６に図示されている例では、軸方向ピンは好ましくは直径が可変である。特にピンの第１の集合はさらに大きい方の直径をもって見越され、ピンの第２の集合は小さい方の直径をもって見越される。好ましくは一方の集合のピンが他方の集合のピンと交互になる。
【００１６】
さらに、図５または６に描かれているピンは、軸に沿って中空である構造を提示している。
【００１７】
ドラム１２は、直接隣接したドラムに比較して所定の角度でそれぞれのドラムを回転させるために段階的な回転のための手段２２も備える。該段階的な回転手段２２の考えられる実施形態は図６または図９に描かれており、前記段階的な回転手段２２は、前記平面１６から同軸でスルーシート１８まで、及び長手方向軸１４まで伸張する側壁２４を備えることを規定する。
【００１８】
有利なことに、側壁２４の内面は軸１４に平行な方向で形成される溝、及びはめ歯付きのギザギザを付けられた部分を提示している。
【００１９】
壁２４に対して平面１６の向かい側の部分から伸張するのが、前記する−シート１８を形成する別の円筒形の壁３０である。前記追加円筒形の壁３０の外部側面から放射状に伸張するのは直接隣接したドラムのぎざぎざ部分２８と交差する複数のリブ、つまり小型ブレード３２である。
【００２０】
参照番号３４は、例えば英数字文字、または図形または色などの特徴的な要素をもつ面３６を備えたいくつかのインサートを一般的に特定する。これらの面３６は組み立てられた装置で目に見える。
【００２１】
インサート３４は、多様な形状を取ることができる。図５では、ドラム１２は交互の位置で２種類のインサートを収容するために適している。第１の種類のインサートは、４つの側面が互いに特徴的な要素をもつ四角柱（ｑｕａｄｒａｎｇｕｌａｒ  ｂａｓｅｄ  ｐｒｉｓｍ）である。第２の種類のインサートは３つの側面のそれぞれが特徴的な要素をもつ三角柱（ｔｒｉａｎｇｕｌａｒ  ｂａｓｅｄ  ｐｒｉｓｍ）である。
【００２２】
好ましくは、それぞれのドラムの上に取り付けられる隣接するインサートは、それらの側面が接触し、そのため装置の外部からは見えなくなるように互いに接触している。
【００２３】
インサート３４は、前記ドラム１２のそれぞれの外部側面端縁に沿って、言い換えると平面１６の環状部分と対応して解放自在に連結するように適応される。実際、それぞれのインサート３４は、好ましくは軸方向ピン２０の１つを収容するために適したサイズの円筒形であるシート３７を有する。特に図５に示される例によると、小さい方の直径のピンは三角形の基部のインサートと接触するように意図されているが、大きい方の直径のピンは四角形の基部を有するインサートと接触するように設計される。
【００２４】
対応するピン及び角柱は好ましくは、角柱がわずかな圧力でピンから着脱できるような形状である。
【００２５】
参照番号３８は、軸方向で互いに対して隣のドラム１２集合を受け入れるように適応されたロッドを示している。実際に、スルーシート１８はロッド３８を、それがドラムが回りを回転する軸１４を形成するように受け入れるのに適したシートを形成する。
【００２６】
好ましくは、止め具４０はロッド３８の一端に固定して取り付けられる。図に描かれている例では、第１の止め具４０はドラムの放射状の伸張に等しい放射状の伸張をもったわずかに凸状の円板によって形成される。
【００２７】
さらに、第２の止め具４２は、第１の止め具４０に取り付けられる端部と反対の端部でのロッド３８上への挿入のために設けられている（図３と図４）。この留め具は、それがドラムを軸に沿って遮るようにロッドに固定取り付けされるように設計されている。図に描かれている例では、第２の止め具４２は第１の止め具４０と同じ形を有し、鏡面反射の方法でロッド３８の中に差し込まれる。
【００２８】
係止部材４４は、ドラム１２と第２の止め具４２がロッドから滑り落ちるのを妨げる。ドラムは、それらがわずかな圧力で軸に沿った回転を可能にするように互いに取り付けられ、互いから取り外すことができるように形作られる。係止部材４４は、好ましくはスナップ作用でロッドの自由端の上に挿入できるキャップの形をしている。
【００２９】
考えられる実施形態によれば、係止部材４４は、図に図示されている例ではキーリングとして使用するのに適した装置を作るリングから構成される把持装置４６を備える。
【００３０】
前記に描かれた本発明による単一キーコードを介した複数のコードの自動読み取りのための装置の組み立て及び機能上の用途を以下に説明する。
【００３１】
インサート３４は、インサート及びそれぞれの可視面を、キーコード及び覚えなければならないコードに従って選ぶことにより相対ドラムと結合される。図１０は、一部のドラムの外部端縁の直線状の展開図、言い換えると可視インサート面のシーケンスを示している。
【００３２】
説明を簡略にするために、図１に図示される装置の実施形態のための８個のドラム１２の展開図は文字ＡからＨで示されている。
【００３３】
図１０の例に従って、それぞれのドラムは合計１２個のインサート３４のために基部が四角形のインサートと交互になる基部が三角形のインサートを備える。基部が四角形のインサートが番号ｄ１からｄ６で識別される一方、基部が三角形のインサートは参照番号ｔ１からｔ６で識別されている。
【００３４】
ドラム１２は、特に図１０に描かれているそれらの直線状の展開図では、複数のドラムの特徴的な要素が整列するように軸１４に平行な一列に隣接して配置される。
【００３５】
基部が三角形のインサートのケースでは、側面の数は３つであるため、これらのインサートが過去に事前成形され（ｐｒｅ−ｍｏｌｄｅｄ）、事前に彫りこまれた（ｐｒｅ−ｅｎｇｒａｖｅｄ）ケースでは３つの異なる特徴的な要素の中で選ぶことが可能である。これは、４つの異なる特徴的な要素の中に選択の可能性がある基部が四角形のインサートについても同一である。
【００３６】
図１０に図示される展開図は、ドラム１２の構成のため、したがってインサートの選択のための追加的援助である。さらに、この図は、インサート３４が、例えば、図１０の行ＡからＨに示されるもののような、それらが互いに隣接するインサートの可視面のシーケンスにより形成される複数の文字列を形成するように取り外し自在の構成で互いとどのように結合されるのかも描いている。
【００３７】
各文字列の構成は、キーコードと覚えなければならないコードの両方を文字列自体の横断方向で、つまり言い換えるとドラム１２のケースでは軸方向に配置することにより得られる。図１０に示される例では、続く列ｄ１、ｔ２、ｄ２等が覚えなければならないコードを示すために使用できる一方、列ｔ１はキーコードを示すために使用できるであろう（描かれている例では、これはクレジットカード、銀行販売業者カード、携帯電話カード等の最高１２個のコードを含むことができる）。
【００３８】
図の列がいったん図１０に図示されるように完了すると、文字列、したがってドラム１２の構成に対応する各行ＡからＨがただちに使用可能となる。
【００３９】
図１０に提供される図に従うことにより、ドラムごとに使用されるインサートを選び、それぞれの軸方向ピン２０にそれらを差し込み、特徴的な要素がドラムの外部端縁で目に見えるようにそれらを配列することが可能である。代わりに、特徴的な要素を直接的に書き込む、または彫り込むことができるインサートを使用し、このようにして準備されたインサートの集合を有する必要を回避することができる。
【００４０】
すべてのドラムが完成すると、それらは、それらが軸１４に平行に互いに隣接するようにロッド３８の中に次々に入れられる。
【００４１】
同時に段階的回転手段２２は、図１の断面部分に描かれるようにともに組み立てられる。
【００４２】
第２の止め具４２と係止部材４４はアセンブリを閉じるために取り付けられる。
【００４３】
したがって、ロッド３８、第１の止め具４０、第２の止め具４２、及び係止部材４４は、複数の文字列の特徴的な要素が、文字列自体の方向に本来横断方向である方向で整列されるように平行モードで互いに沿って文字列を配置するための手段である。
【００４４】
それぞれのドラムを回転させる（言い換えると、文字列ＡからＨを互いに関して摺動させる）ことによって列ｔ１からｄ６の位置をずらすことにより、関心を引くコードを読み取ることが不可能になる。１２８の考えられる組み合わせがある。
【００４５】
文字列の間で斜めに読まれるシークレットコードは、ドラムを回転させ（または互いに関して文字列ＡからＨを摺動させ）、複数の文字列／ドラムの特徴的な要素をまっすぐに向け、各文字列の方向に関して（つまり軸１４に平行な方向に対応して）横断方向に沿ってキーコードを形成することによって自動的に取得される。
【００４６】
前述したように、本発明に説明される装置などの装置によって、ユーザが１つのシングルコードを覚えるだけでどのようにしてクレジットカード、数値ロック、銀行販売業者のためのコード、または類似するコードにアクセスできるのかを理解するのは容易である。
【００４７】
これは、考えられる実施形態に従ってキーリング、机またはコンピュータのアクセサリの形状及びサイズを推測することができる装置のおかげで可能になる。それらは特にコンパクト且つ軽量であり、低コストから評判の高い材料まで任意の種類の材料から製造できる。
【００４８】
本発明に説明されている装置の追加の優位点とは、装置構造の絶対的な単純性にあり、その結果低製造費につながる。
【００４９】
言うまでもなく他の変形及び／または追加物を前述した実施形態に適用することができる。
【００５０】
ドラムインサート及びドラムの数、形状及びサイズは、図解されている実施形態に関して変えることが可能である。
【００５１】
さらに、例えば図１０に描かれている実施形態は、本発明で説明され、電子形式で製造されるような装置のモデルとして使用可能であり、各インサートは、適切なプログラムを使用して、他と関係して位置合わせされる、あるいはずらされるであろうディスプレイ上の一部分として構成されるであろう。このケースでは、取り外し自在のインサートという概念は、ユーザが複数の特徴的な要素を位置合わせし、文字列を形成できるようにする作成システムを使用して応用できるであろう。
【００５２】
図９に描かれている例の代替策として、段階的回転手段は、１つのドラム内に形成され、隣接するドラムまたはロッドの一部で少なくとも１つの軸リブと連動するように設計される少なくとも１つの軸に沿った溝を含むことができる。
【００５３】
同封の図に描かれているインサートは、数、形状及びサイズで異なる場合がある。例えば、それらは側壁が少なくとも１つの特徴的な要素をもつ円筒要素から構成できる。
【００５４】
特に、インサートは、例えば、単一の特徴的な要素をもつ四角形の基部を備えるモザイクテッセラ形として製造することができる。これらのテッセラは、それらが滑り落ちないようにするためにスナップ式係止機構を備える、回転軸に垂直な方向で軸の回りを回転するドラムまたは他の要素に取り付けることができる。
【００５５】
インサートをドラムに取り付けるために使用されるシステムも異なる場合がある。前述したケースでは、インサートは軸方向ピンの中に差し込まれ、隣接ドラムの平面１６との連動によって、及び／またはインサートを取り付け、わずかに圧力をかけるだけでそれらを容易に移動できるようにするスナップ式システムによって軸方向で維持される。
【００５６】
代替策として、ドラム１２はインサートに形成されるシートの中に挿入するために設計される半径方向ピンを備える場合がある。さらに、係止機構は、インサートが、ピンから滑り落ち、ドラムが隣接ドラムから滑り落ちるの防ぐために例えばスナップ式となると考えることができる。
【００５７】
図１３から３３では、番号１０は本発明で説明されるような単一キーコードを用いる複数のコードの自動読み取りのための装置の別の実施形態を特定する。すでに説明した変形との共通した要素は、それらの同じ参照番号で識別される。
【００５８】
図１３に描かれている実施形態の例に従って、当該の装置は、例えば、コンピュータモニタまたは事務所の机上での応用のためにキーリングまたはアクセサリの形状及びサイズを推測することができ、長手方向軸１４の回りを回転するように設計された複数のドラム１２を備えることができる。
【００５９】
図１の例では、８個のドラムが軸１４に平行な方向で互いに沿って設けられる。
【００６０】
ドラム１２の実施形態の例は、例えば図１３、図１５、及び図１８に描かれ、複数の突出物１６０を含む。描かれている例では、ドラムごとに６個の突出物が提供されている。２個の長穴１８０が、軸１４に基本的に平行である方向でドラムを通過する各突出部１６０に設けられる。各長穴は、例えば、英数字文字または図形または組み立てられた装置の内部で見える色などの特徴的な要素を持つ少なくとも１つの面を備えるインサート３４を受け入れるように適応されている。
【００６１】
それぞれのインサート３４は、そのそれぞれのドラム内部長穴１８０に取り外し自在に連結されるように適応される。追加の考えられる実施形態では、インサート３４はそれぞれの長穴１８０の中に挿入するために適した薄板またはプレートとして製造される。突出物１６０、したがって長穴１８０は、少なくとも１つの開口部１８１が長穴からインサートを引き抜くために使用される摘出器（不図示）の挿入のために形成される、下部閉鎖壁を有している。
【００６２】
各ドラムは、基本的に円筒形であり、軸１４と同軸であるスルーシート２６を備える。シート２６は軸１４に平行な同じ方向で動作する、それぞれのドラムキャリーリブ２４０の側壁により囲まれている。考えられる実施形態によれば、リブ２４０は、好ましくは周囲の回りで均一に分散される。
【００６３】
参照番号３８は、軸の方向で互いに沿って設置されるドラム１２を受け入れるように設計されるロッドを参照する。スルーシート２６は、それが前記ドラムが回りを回転する軸１４を形成するように、このロッド３８を受け入れるように適応されたシートを形成する。
【００６４】
考えられる実施形態によれば、ロッド３８は、ロッドの一端に固定して取り付けられる第１の止め具４０を有する。図に描かれている例では、第１の止め具４０は、装置１０をキーリングとしての使用に適したものにする、例えばリング３４０または他のなんらかの取り付けシステムを収容するために適した穴３２０を備えた段部３００がそこから伸張する円板形式を有する。
【００６５】
考えられる実施形態によれば、２つのフィン３６０が、例えば対角線方向などの、第１の止め具４０とロッド３８の端部の間で放射方向に伸張する。フィン３６０の該放射状の伸張はロッド３８の直径より大きい。
【００６６】
ロッド３８の自由端部、言い換えると止め具４０を運ぶ端部に対向する端部は、わずかに放射状に拡大した部分３８０を形成する。
【００６７】
数字４２は、止め具４０を運ぶその端部に対向する端部上でロッド３８に差し込むことができる第２の止め具を特定する。この止め具はドラムを軸に沿って遮断するためにロッドに取り付けるように適応される。
【００６８】
考えられる実施形態によれば、第２の止め具４２は、ロッドの上に軸に沿ってドラム１２を係止するために放射状に伸張するリング形状の部分を備える。番号４２０は第２の止め具４２のリング部分から軸方向に伸張する可撓フィンを示す。これらのフィンは、ロッド３８の放射状に拡大した部分３８０を収容するように適応される。
【００６９】
番号２２は、直接隣接したドラムに関して、及びロッド３８に関して所定の角度で各ドラムを回転させるために使用される段階的回転手段を示す。この手段は、ロッド３８の上に、同軸上でロッドに、及びドラム１２の内側で差し込まれるのに適したドラム１２上のリブ２４０、及び特別な形状のシャフト４６０を備える。
【００７０】
特殊な形状のシャフト４６０は中空である。つまり、それはロッド３８を受け入れるように適応されたスルーシート４８０を形成する。
【００７１】
考えられる実施形態によれば、バッフルプレート５００が、特殊な形状のシャフト４６０の決定された軸位置で想定される。該バッフルプレート５００は、スルーシート４８０の放射状拡張部より小さいが、いずれにせよ例えば締まり嵌めを通してロッド３８を収容するために適した放射状拡張部付きの穴５２０を含む。
【００７２】
考えられる実施形態によれば、番号５４０は特殊形状のシャフト４６０の一端からスルーシート４８０を形成する側面の特定の部分のために軸方向に設定される２つの長穴を指す。これらの長穴は第１の止め具４０のフィン３６０を受け入れるように適応される。
【００７３】
特殊形状のシャフト４６０は基本的に、約１８０°伸張する完全な第１の部分４６０ａ、及び多様な形状の一連の軸方向セクタを形成する複数の放射状のノッチ５６０を持つ第２の部分４６０ｂを備える中空の円筒壁から作られている。番号５８０ａで特定される該第１の放射状のセクタは、第１の部分４６０ａの拡張部として基本的に半円筒の形状を有する。番号５８０ｂで特定される第２の軸方向セクタは軸方向セクタ５８０ａよりわずかに小さい半径を持つ基本的に半円筒の形状を有し、第１のセクタ５８０ａの半径寸法の外で放射状に伸張する歯６００を含む。それぞれの歯６００はドラム１２上の２つの隣接するリブ２４０の間に収容されるように適応される。第２のセクタ５８０ｂの数は、ドラム１２の数と同じであると予測され、それぞれの第２のセクタはそれぞれの第１のセクタ５８０ａと交互の位置にある。特殊形状のシャフト４６０は歯６００を弾性的且つ可撓的にするために適した材料で製造される。
【００７４】
考えられる実施形態によれば、番号６４０は決定された軸位置で特殊形状シャフト４６０上に差し込むために設計されるワッシャを示す。考えられる実施形態によれば、各ワッシャ６４０は、複数の突出物６６０、好ましくは図中に描かれている例でドラム１２の上に設定される突出物１６０と同じ数を備える。図に示されている例では、４個のワッシャが設けられている。
【００７５】
以下に前述したように単一キーコードを介した複数のコードの自動読み取りのための装置を使用するためのアセンブリ及び方法を説明する。
【００７６】
インサートは、前述の例に説明されたように、インサート及びそれぞれの可視面をキーコード及び覚えなければならないコードに従って選ぶことにより相対的なドラムと結合される。
【００７７】
特殊形状のシャフト４６０は、フィン３６０が長穴５４０の中に差し込まれるようにロッド３８上で同軸で差し込まれる。フィンを長穴の中に挿入することによる機械的な結合によって、特殊形状のシャフトが軸１４の回りを回転するのを防ぐ。
【００７８】
次に、第１のドラムが第１の止め具４０に当接するように配置される。
【００７９】
それぞれの軸方向セクタの歯６００は、ドラム１２の２つの隣接するリブ２４０の間に差し込まれる。
【００８０】
以下の要素は、１個のワッシャ６４０、さらに２つのドラム１２、１個のワッシャ６４０、さらに２つのドラム１２、１個のワッシャ６４０、さらに２つのドラム１２、１個のワッシャ６４０、及び１個の最後のドラムの順に特殊な形状のシャフト４６上に配置される。
【００８１】
最後に、第２の止め具４２は、可撓フィン４２０がロッド３８が放射状に拡大した部分３８０を有する場所で遮断されるように差し込まれる。
【００８２】
したがって、ロッド３８、第１の止め具４０、その可撓フィン付きの第２の止め具４２が、本来文字列自体の方向に横断する方向で複数の文字列の特徴的な要素を一列に並べるように平行モードで文字列（ドラム）を位置合わせするための手段を形成する。ロッド３８が想定されない場合には、止め具は特殊形状のシャフト４６０にじかに取り付けることができる。
【００８３】
インサートは、ドラム１２が横に設置されるときに、隣接ドラムのインサートが軸方向で列を形成するように配置される。インサートはそれぞれのドラムに差し込まれ、キーコードを構成する第１の列が覚えなければならないコードを形成する隣接する列と対応するように文字列を形成する。したがって、キーコードがそのそれぞれの列の中で構成されると、他の文字列は自動的に、覚えなければならないコード（銀行販売業者、移動電話等）を形成する。他方、ドラムが回転し、隣接文字列のインサートがずれると、覚えなければならないコードはすぐに読み取ることができない。
【００８４】
回転中の装置機能モードが、例えば図３１から３３に示されている。停止位置（図３１）では、歯６００が２つの隣接するリブ２４０の間に差し込まれる。
【００８５】
それぞれのドラムが回転すると、歯６００は放射状に内向きに押される（図３２）、あるいはそれはリブ２４０の上を通るように接面での方向で曲がる。リブが通過するとすぐに、歯は弾性的にその元の形に戻る（図３３）。
【００８６】
前記段階的回転手段を設けることにより、単純でコンパクトな構造を維持すると同時にドラムの正確な位置決めを達成できる。
【００８７】
これまでに説明し、図解した実施形態に対する変形及び／または追加が予測できることは明らかである。
【００８８】
考えられる実施形態によれば、追加の止め具を特殊形状のシャフト４６０の一端、例えば長穴５４０が位置するような端部に設けることができる。この追加の止め具は、特殊形状のシャフト４６０から放射状に伸張し、ドラム１２を適所に係止する円形リンクの形を取ることができるであろう。シャフ後４６０上のこの止め具は、ロッド３８上の第１の止め具４０に当接する。この場合、ドラムは、シャフトがロッド３８に取り付けられる前でも特殊形状のシャフト４６０の上に容易に配列できる。
【００８９】
考えられる追加実施形態に従って、ドラムはワッシャ６４０を差し込む必要なく互いに沿って配列できる。
【００９０】
図３４から図３６は、前述した装置１０の構造と同じ構造またはそれに類似した構造を有する４つの装置１０ａを含む本発明による装置の考えられる実施形態を描く。特に、各装置のドラムは、１つの装置の突出物が隣接装置上の２つの突出物の間の空洞に差し込まれるように複数の突出物または歯を備える。係止手段は、それらを並べて維持するためにであるが、それぞれの長手方向軸の回りでのそれらの回転を可能にするように、このような装置の端部に機能上関連付けられる。このような手段は、例えばこの目的で設けられる穴の中への挿入を介して、装置１０ａの端部を連結する例えばリングＡから構成される。
【００９１】
前記変形は、１つの装置のそれぞれのドラムの回転により、それらがあたかもともにかみ合う２つのギアホイールであるかのように、隣接装置の対応するそれぞれのドラムの回転が生じるように動作すると考えられる。
【００９２】
複数の装置の最初の提供により、装置の中に含むことができる、さらに多くの数の考えられる組み合わせ、したがって、さらに多くの数のコードを達成できるようになる。
【００９３】
明らかに、装置１０ａとそれぞれの突出物の数、それらの形状、及びドラム数は説明した変形に関して変化することがある。
【００９４】
説明した、及び／または図解したすべての変形では、ドラムインサート及びドラムの数、形状及びサイズがすでに説明し、図解した変形に関して変化できる。ドラムの突出物の数または形状も変化することがある。
【００９５】
インサートをドラムに固定するために使用されるシステムも別に設計できる。
【００９６】
特殊形状のシャフトが想定される場合、シャフトだけを使用してロッドを省略することができる。また、正方形または十字形の断面のロッドを採用することができる。
【００９７】
本発明のすべての実施形態では、少なくとも２つのドラム（または少なくとも２本の文字列）を設けることができ、それぞれ１つが少なくとも２つのインサートを備える。
【００９８】
特殊な、且つ関連するニーズを満たすために、当業者は、以下の請求項の範囲内に留まりながらも、機能上同等なものの好ましい前述した実施形態の特定の要素を修正、適応、及び置換することができるであろう。
【図面の簡単な説明】
【００９９】
【図１】本発明による装置の部分断面図を示す。
【図２】図１に描かれている装置の詳細な部分断面図を示す。
【図３】図１に図示される詳細な考えられる実施形態の不等角投影図を示す。
【図４】図３に図示される詳細な上からの図を示す。
【図５】図１に図示される詳細な考えられる実施形態の上からの図を示す。
【図６】図５に図示される詳細な線ＶＩ−ＶＩに沿って取られる透視部分断面図を示す。
【図７】図１に図示される詳細な実施形態の上からの図を示す。
【図８】図７に図示される詳細な側面図を示す。
【図９】図７に示される詳細な線ＩＸ−ＩＸに沿って取られる断面図を示す。
【図１０】装置自体の考えられる実施形態のレイアウトにも対応する図１に図示されるシステムの概略図を示す。
【図１１】図１に図示されるシステムの詳細な不等角投影図を示す。
【図１２】図１１に示される線ＸＩＩ−ＸＩＩに沿って取られる断面図の図１１に図示される詳細な不等角投影図を示す。
【図１３】本発明による装置の考えられる実施形態の斜視図を示す。
【図１４】図１に示される装置の側面図を示す。
【図１５】図１に図示される装置の水平断面を示す。
【図１６】図１５に図示される装置の線ＸＶＩ−ＸＶＩに沿って取られる断面図を描く。
【図１７】他の詳細なさらに明確な図を提供するためにいくらかの詳細が省略された図１６の断面図を示す。
【図１８】図１４に図示される装置の線ＸＶＩＩＩ−ＸＶＩＩＩに沿って取られる断面図を示す。ａは、図１３に示される装置の下から見た平面図を描く。
【図１９】図１３に図示される装置の詳細な側面図を描く。
【図２０】図１９に図示される詳細な線ＸＸ−ＸＸに沿って取られる断面図を描く。
【図２１】図１３に図示される装置の詳細な側面図を描く。
【図２２】図２１に示される詳細な線ＸＸＩＩ−ＸＸＩＩに沿って取られる断面図を描く。
【図２３】図２１に示される詳細な線ＸＸＩＩＩ−ＸＸＩＩＩに沿って取られる断面図を描く。
【図２４】図２１に示される詳細な線ＸＸＩＶ−ＸＸＩＶに沿って取られる断面図を描く。
【図２５】他の詳細なさらに明確な図を提供するためにいくらかの詳細が省略された図１６の断面図を描く。
【図２６】他の詳細なさらに明確な図を提供するためにいくらかの詳細が省略された図１６の断面図を描く。
【図２７】他の詳細なさらに明確な図を提供するためにいくらかの詳細が省略された図１６の断面図を描く。
【図２８】図１３に図示される装置の詳細な平面図を描く。
【図２９】図１３に図示される装置の詳細な平面図を描く。
【図３０】図２９に図示される詳細な線ＸＸＸ−ＸＸＸに沿って取られる断面を描く。
【図３１】さまざまな作業状態で図１８に図示される装置を描く。
【図３２】さまざまな作業状態で図１８に図示される装置を描く。
【図３３】さまざまな作業状態で図１８に図示される装置を描く。
【図３４】本発明による装置の考えられる実施形態の側面図を描く。
【図３５】図３４に図示される装置の矢印ＸＸＸＶによって示される領域の図を示す。
【図３６】図３４に図示される装置の矢印ＸＸＸＶＩによって示される領域の図を示す。
【図１】
2005531018.tif 000003
【図２】
2005531018.tif 000004
【図３】
2005531018.tif 000005
【図４】
2005531018.tif 000006
【図７】
2005531018.tif 000007
【図８】
2005531018.tif 000008
【図９】
2005531018.tif 000009
【図５】
2005531018.tif 000010
【図６】
2005531018.tif 000011
【図１０】
2005531018.tif 000012
【図１１】
2005531018.tif 000013
【図１２】
2005531018.tif 000014
【図１３】
2005531018.tif 000015
【図１４】
2005531018.tif 000016
【図１５】
2005531018.tif 000017
【図１６】
2005531018.tif 000018
【図１７】
2005531018.tif 000019
【図１８】
2005531018.tif 000020
2005531018.tif 000021
【図２１】
2005531018.tif 000022
【図２２】
2005531018.tif 000023
【図２３】
2005531018.tif 000024
【図２４】
2005531018.tif 000025
【図２５】
2005531018.tif 000026
【図２６】
2005531018.tif 000027
【図２７】
2005531018.tif 000028
【図２８】
2005531018.tif 000029
【図３１】
2005531018.tif 000030
【図３２】
2005531018.tif 000031
【図３３】
2005531018.tif 000032
2005531018.tif 000033
【図１９】
2005531018.tif 000034
【図２０】
2005531018.tif 000035
【図２９】
2005531018.tif 000036
【図３０】
2005531018.tif 000037
【国際調査報告】
2005531018.tif 000038
2005531018.tif 000039